(57)【要約】【課題】前方に釣糸を繰り出し可能な両軸受リールにおいて、サミング操作を迅速かつスムーズに行うことができるようにすることにある。【解決手段】両軸受リール１００は、リール本体１と、スプール２と、ハンドル３と、を備えている。リール本体１は、第１本体部６と、第１本体部６と軸方向に間隔をあけて配置される第２本体部７と、第１及び第２本体部６，７の後方かつ第１及び第２本体部６，７の間に形成されたサムレスト８と、を有している。スプール２は、糸巻胴部１１の第１本体部６側に第１本体部６よりも小径に形成された第１フランジ部１２と、糸巻胴部１１の第２本体部７側に第２本体部７よりも小径に形成された第２フランジ部１３と、を有している。第１本体部６は、サムレスト８に近接する外縁が、スプール２の第１フランジ部１２の外縁に近接するように切り欠いて形成された切り欠き部９を有している。【選択図】図３
2018064504.tif 000002
【特許請求の範囲】
【請求項１】
前方に釣糸を繰り出し可能な両軸受リールであって、
第１本体部と、前記第１本体部と軸方向に間隔をあけて配置される第２本体部と、前記第１及び第２本体部の後方かつ前記第１及び第２本体部の間に形成されたサムレストと、を有するリール本体と、
前記リール本体の外側面に回転可能に取り付けられるハンドルと、
前記第１本体部と前記第２本体部との間に回転可能に配置され、外周に釣糸を巻き付け可能な糸巻胴部と、前記糸巻胴部の前記第１本体部側に前記第１本体部よりも小径に形成された第１フランジ部と、前記糸巻胴部の前記第２本体部側に前記第２本体部よりも小径に形成された第２フランジ部と、を有するスプールと、
を備え、
前記第１本体部は、前記サムレストに近接する外縁が、前記スプールの第１フランジ部の外縁に近接するように切り欠いて形成された切り欠き部を有する、
両軸受リール。
【請求項２】
前記切り欠き部は、内周側に窪むように形成され、前記スプールの第１フランジ部の外縁に近接するにしたがって、外径が小さくなるように傾斜する湾曲面である、請求項１に記載の両軸受リール。
【請求項３】
前記サムレストは、円弧面を有し、
前記円弧面は、前記湾曲面に滑らかに連続して形成されている、請求項２に記載の両軸受リール。
【請求項４】
前記リール本体の第１本体部の外側面に設けられ、前記ハンドルと前記スプールとが連結されたクラッチオン状態の第１位置と、前記ハンドルと前記スプールとの連結が解除されたクラッチオフ状態の第２位置との間で揺動可能であり、先端が前記スプール側に延出したクラッチレバーをさらに備え、
前記切り欠き部は、前記サムレストに近接する外縁から前記クラッチレバーが揺動可能な第１位置及び第２位置の範囲にわたって形成されている、請求項１から３のいずれか１項に記載の両軸受リール。
【請求項５】
前記第１フランジ部および前記第２フランジ部は、前記糸巻胴部の一端に形成された内壁面と、前記内壁面の先端から軸方向外方に延びる外周面と、をそれぞれ有し、
前記第１フランジ部および前記第２フランジ部の一方の内壁面の先端の外径は、前記第１フランジ部および前記第２フランジ部の他方の内壁面の先端の外径よりも大径であり、
前記第１フランジ部および前記第２フランジ部の一方の内壁面と外周面とは、滑らかな曲面で接続されている、
請求項１から４のいずれか１項に記載の両軸受リール。
【請求項６】
前記第１フランジ部および第２フランジ部の他方は、前記外周面の最外径部から軸方向外方に延びて形成された円筒面をさらに有する、
請求項５に記載の両軸受けリール。
【請求項７】
前記一方の外周面の前記スプールの回転軸に対する傾斜は、前記一方の内壁面の前記スプールの回転軸に対する傾斜よりも小さい、
請求項５又は６に記載の両軸受けリール。
【請求項８】
前記一方の外周面と前記曲面の少なくともいずれか一方には、前記リール本体を把持した手の親指を接触させて前記スプールの回転数を認識するための認識部が形成されている、請求項５から７のいずれか１項に記載の両軸受リール。
【請求項９】
前記認識部は、少なくとも１つの突起または溝である、請求項８記載の両軸受リール。
【請求項１０】
前記第１または第２本体部は、前方側かつ前記スプールの回転中心よりも下側の外縁の少なくとも一部に、前記スプールの第１または第２フランジ部の外縁に近接するように切り欠いて形成された指案内面を有する、
請求項１から９のいずれか１項に記載の両軸受リール。
【発明の詳細な説明】
【技術分野】
【０００１】
本発明は、前方に釣糸を繰り出し可能な両軸受リールに関する。
【背景技術】
【０００２】
釣糸が繰り出されるときにスプールが回転する両軸受リールでは、キャスティング時や仕掛けの水中への落とし込み時にスプールの回転速度が糸繰り出し速度より速くなり、釣り糸がたるんで糸ふけが生じ、糸が絡む、いわゆるバックラッシュが生じる。このバックラッシュを防止するための手段の１つとして、スプールのフランジ部に指を接触させて、スプールの回転に抵抗を与えることでスプールの回転を抑制する、いわゆるサミング操作がよく知られている。なお、サミングとは本来親指での操作を意味するが、最近では人差し指や中指を用いる場合もサミングと呼称される。
【０００３】
また、サミング操作は、キャスティング時だけでなく、キャスティングをした後で、釣糸のラインコントロールや、魚との駆け引きをする際にも利用される。そこで、サミング操作を迅速かつスムーズにできるように、サイドフレームの外周からスプール外周部に指を案内するための指ガイド面を設けた構成が特許文献１に開示されている。また、特許文献２の図６から図８にはスプール外周部をリール側板から露出させるようにリール側板に凹部を設けた構成が開示されている。
【先行技術文献】
【特許文献】
【０００４】
【特許文献１】実公平７−５３４９８号公報
【特許文献２】実開平５−５５８７５号公報
【発明の概要】
【発明が解決しようとする課題】
【０００５】
特許文献１では、指ガイド面によって円滑にスプールの外周部に指が案内されるが、スプール外周部と指ガイド面との距離が離れているため、指ガイド面からスプールの外周部に到達するまでに時間が掛かる。このため、サミング操作を迅速に行うことが難しい。
【０００６】
本発明の課題は、前方に釣糸を繰り出し可能な両軸受リールにおいて、サミング操作を迅速かつスムーズに行うことができるようにすることにある。
【課題を解決するための手段】
【０００７】
本発明の一側面に係る両軸受リールは、前方に釣糸を繰り出し可能であって、リール本体と、ハンドルと、スプールと、を備えている。リール本体は、第１本体部と、第１本体部と軸方向に間隔をあけて配置される第２本体部と、第１及び第２本体部の後方かつ第１及び第２本体部の間に形成されたサムレストと、を有している。ハンドルは、リール本体の外側面に回転可能に取り付けられる。スプールは、第１本体部と第２本体部との間に回転可能に配置され、外周に釣糸を巻き付け可能な糸巻胴部と、糸巻胴部の第１本体部側に第１本体部よりも小径に形成された第１フランジ部と、糸巻胴部の第２本体部側に第２本体部よりも小径に形成された第２フランジ部と、を有している。第１本体部は、サムレストに近接する外縁が、スプールの第１フランジ部の外縁に近接するように切り欠いて形成された切り欠き部を有している。
【０００８】
この両軸受リールでは、切り欠き部によって、リール本体を把持した手の親指がサムレストからスプールの外縁に案内されるため、サミング操作を迅速かつスムーズに行うことができる。
【０００９】
好ましくは、切り欠き部は、内周側に窪むように形成され、スプールの第１フランジ部の外縁に近接するにしたがって、外径が小さくなるように傾斜する湾曲面である。この場合は、上記の効果に加え、切り欠き部を指置き場として用いることができるため、さらに迅速なサミング操作が可能となる。
【００１０】
好ましくは、サムレストは円弧面を有し、円弧面は湾曲面に滑らかに連続して形成されている。この場合は、リール本体を把持した手の親指がサムレストからスプールの外縁にさらに迅速かつスムーズに案内される。
【００１１】
好ましくは、リール本体の第１本体部の外側面に設けられ、ハンドルと前記スプールとが連結されたクラッチオン状態の第１位置と、前記ハンドルと前記スプールとの連結が解除されたクラッチオフ状態の第２位置との間で揺動可能であり、先端が前記スプール側に延出したクラッチレバーをさらに備えている。切り欠き部は、サムレストに近接する外縁からクラッチレバーが揺動可能な第１位置及び第２位置の範囲にわたって形成されている。
【００１２】
この場合は、切り欠き部がクラッチレバーを操作した後の指置き場として機能するとともに、リール本体を把持した手の親指がクラッチレバーを操作した位置から切り欠き部を経由してスプールの外縁に迅速かつスムーズに案内される。これにより、例えば、クラッチオフの操作からサミングへの動作をスムーズに連続して行うことができる。
【００１３】
好ましくは、第１フランジ部および第２フランジ部のそれぞれは、内壁面と外周面とを有している。内壁面は糸巻胴部の一端に形成されている。外周面は内壁面の先端から軸方向外方に延びている。また、第１フランジ部および第２フランジ部の一方の内壁面の先端の外径は、第１フランジ部および第２フランジ部の他方の内壁面の先端の外径よりも大径であり、第１フランジ部および第２フランジ部の一方の内壁面と外周面とは、滑らかな曲面で接続されている。
【００１４】
この場合は、親指をフランジ部の曲面に接触させてサミング操作を行うことができるため、指の当て具合が安定する。これにより、微妙なサミングコントロールが可能となる。また、フランジ部の曲面が切り欠き部に近接する位置にあるため、さらにサミング操作を迅速かつスムーズに行うことができる。
【００１５】
好ましくは、第１フランジ部および第２フランジ部の他方は、外周面の最外径部から軸方向外方に延びて形成された円筒面をさらに有している。この場合は、スプールをリール本体に装着したとき、円筒面がリール本体の内周側に配置さる。これにより、リール本体とスプールの間の間隔を精度よく管理でき、間に釣り糸が噛み込むのを抑制できる。
【００１６】
好ましくは、一方の外周面のスプールの回転軸に対する傾斜は、一方の内壁面のスプールの回転軸に対する傾斜よりも小さい。これにより、第１フランジ部および第２フランジ部の一方の内壁面と外周面とを接続する曲面に対する親指の当たり具合が安定するため、曲面にしっかりと親指を押し当ててサミング操作をすることができる。
【００１７】
好ましくは、一方の外周面と曲面の少なくともいずれか一方には、リール本体を把持した手の親指を接触させてスプールの回転数を認識するための認識部が形成されている。この場合は、曲面に指を当てたとき、認識部の一部が指に接触する。これにより、釣人がスプールの回転数または回転速度の程度を認識しながらサミング操作を行うことができるため、細やかな回転数または回転速度の調整が可能となる。
【００１８】
好ましくは、認識部は、少なくとも１つの突起または溝である。この場合は、指に接触する突起または溝によって容易にスプールの回転数または回転速度の程度を認識することができる。
【００１９】
好ましくは、第１または第２本体部は、前方側かつ前記スプールの回転中心よりも下側の外縁の少なくとも一部に、スプールの第1または第２フランジ部の外縁に近接するように切り欠いて形成された指案内面を有する。この場合は、切欠きとスプール軸心を挟んで対向する部分のフランジを人差し指または中指でサミング操作できるので、スプールにより強く安定した制動力を与えることができる。
【発明の効果】
【００２０】
本発明によれば、迅速かつスムーズなサミング操作を行うことができる両軸受リールを提供することができる。
【図面の簡単な説明】
【００２１】
【図１】本発明に係る両軸受リールの正面図。
【図２】本発明に係る両軸受リールの背面図。
【図３】本発明に係る両軸受リールの斜視図。
【図４】本発明に係る両軸受リールの断面図。
【図５】本発明に係るスプールの背面図。
【発明を実施するための形態】
【００２２】
図１から図４に示すように、両軸受リール１００は、前方に釣糸を繰り出し可能な両軸受リールである。両軸受リール１００は、リール本体１と、スプール２と、ハンドル３と、回転伝達機構４（図４参照）と、クラッチレバー５と、を備えている。なお、図１は両軸受リール１００を前方（竿に装着した場合の竿先側）から視た図であり、図２は後方から視た図である。
【００２３】
リール本体１は、第１本体部６と、第２本体部７と、サムレスト８と、を有している。第１本体部６は、第１側カバー６ａと、第１側板６ｂと、を有している。第１側カバー６ａは、第１側板６ｂの側面を覆うように第１側板６ｂに装着されている。第１側板６ｂには、内周側に窪むように形成された切り欠き部９が形成されている。この切り欠き部９の詳細については後述する。
【００２４】
第２本体部７は、第１本体部６と軸方向に間隔をあけて配置されている。第２本体部７は、第２側カバー７ａと、第２側板７ｂと、を有している。第２側カバー７ａは、第２側板７ｂの側面を覆うように第２側板７ｂに装着されている。第２側板７ｂには、指案内面７ｃが形成されている。この指案内面７ｃの詳細については後述する。
【００２５】
サムレスト８は、リール本体１の後方に配置されている。サムレスト８は、第１側カバー６ａと第２側カバー７ａとの間で軸方向に延びて、第１側カバー６ａと第２側カバー７ａとを連結している。サムレスト８は、第１側板６ｂおよび第２側板７ｂに曲面状に繋がる円弧面８ａを両端に有している。
【００２６】
スプール２は、第１本体部６と第２本体部７との間に回転可能に配置されている。スプール２は、図４に示すように、第１本体部６と第２本体部７との間を延びるスプール軸１０に固定されて、スプール軸１０と一体的に回転する。なお、スプール軸１０は、軸受部材などを介して、第１及び第２本体部６，７に回転可能に支持されている。
【００２７】
スプール２は、図５に示すように、外周に釣糸を巻き付け可能な糸巻胴部１１と、第１フランジ部１２と、第２フランジ部１３と、を有している。
【００２８】
第１フランジ部１２は、糸巻胴部１１の第１本体部６側に、第１本体部６の外径よりも小径に形成されている。第１フランジ部１２は、内壁面１２ａと、外周面１２ｂと、円筒面１２ｃと、を有している。
【００２９】
内壁面１２ａは、第１本体部６側の糸巻胴部１１の先端（図５において右側）から徐々に外径が大きくなるように軸方向外側に傾斜して形成されている。
【００３０】
外周面１２ｂは、内壁面１２ａの最外径部１２ａ´から軸方向外方に延びるにしたがって徐々に外径が大きくなるように傾斜して形成されている。外周面１２ｂのスプール２の回転軸に対する傾斜は、内壁面１２ａのスプール２の回転軸に対する傾斜よりも小さくなっている。また、内壁面１２ａと外周面１２ｂとは、滑らかな曲面１２ｄで接続されている。
【００３１】
円筒面１２ｃは、外周面１２ｂの最外径部から軸方向外方にスプール軸１０と平行に延びる平坦面である。円筒面１２ｃは、スプール２をリール本体１に装着したとき、第１本体部６の第１側板６ｂの内周部に対向する。
【００３２】
サミング操作をするときは、曲面１２ｄに親指を押圧させてスプール２の回転を抑制する。このとき、第１フランジ部１２に接触する親指の接触面積は、内壁面１２ａを親指で押圧するときに比べて減少するが、親指の当たり具合が安定するため、曲面１２ｄにしっかりと親指を押し当てることができる。このため、曲面１２ｄに与える面圧の大きさを自由に調整することで、微妙なサミングコントロールが可能となる。
【００３３】
外周面１２ｂには、スプール２の回転を認識するための溝１２ｅ（認識部の一例）が形成されている。溝１２ｅは、外周面１２ｂを軸方向に横断している。溝１２ｅは、レーザー彫刻等によって形成される。溝１２ｅは、少なくとも１つあればよい。溝１２ｅが複数形成される場合は、釣人がスプール２の回転数または回転速度の程度を認識しやすい本数（例えば、周方向に均等に２〜８本程度の範囲の本数）設けられることが望ましい。
【００３４】
スプール２が回転しているとき、曲面１２ｄにリール本体１を把持した手の親指を接触させると、外周面１２ｂに形成された溝１２ｅによって釣人は接触刺激を感じることができる。これにより、釣人がスプール２の回転数または回転速度の程度を認識しながら、曲面１２ｄに与える面圧の大きさを調整することで、釣人が所望するスプール２の回転数または回転速度の程度を容易に得ることができる。
【００３５】
第２フランジ部１３は、糸巻胴部１１の第２本体部７側に、第２本体部７の外径よりも小径に形成されている。第２フランジ部１３は、内壁面１３ａと、外周面１３ｂと、円筒面１３ｃと、を有している。
【００３６】
内壁面１３ａは、第１本体部６側の糸巻胴部１１の先端（図５において左側）から徐々に外径が大きくなるように軸方向外側に傾斜して形成されている。なお、ここでは、内壁面１３ａのスプール２の回転軸に対する傾斜は、第１フランジ部１２の内壁面１２ａのスプール２の回転軸に対する傾斜と同じである。
【００３７】
外周面１３ｂは、内壁面１３ａの最外径部１３ａ´から軸方向外方に延びるにしたがって徐々に外径が大きくなるように傾斜して形成されている。
【００３８】
円筒面１３ｃは、外周面１３ｂの最外径部から軸方向外方に平坦にスプール軸１０と平行に延びる平坦面である。円筒面１３ｃは、スプール２をリール本体１に装着したとき、第２本体部７の第２側板７ｂの内周部に対向する。
【００３９】
ここでは、図５の破線で示すように、第１フランジ部１２の内壁面１２ａの最外径部１２ａ´の外径が、第２フランジ部１３の内壁面１３ａの最外径部１３ａ´の外径よりも大径に形成されている。これにより、第２フランジ部１３の内壁面１３ａの最外径部１３ａ´付近（破線で示す高さ）まで釣糸が巻き付けられた場合でも、第１フランジ部１２の曲面１２ｄが釣糸で隠れてしまうことがない。このため、常に曲面１２ｄに親指をしっかりと押し当ててサミング操作をすることができる。さらには、釣糸の表面に親指を押し当ててサミング操作をする必要がないため、サミング操作による釣糸の磨耗および釣糸との摩擦による親指の損傷を防ぐことができる。
【００４０】
次に、図２及び図３に従って、切り欠き部９の構成について説明する。第１本体部６の第１側板６ｂに形成された切り欠き部９は、サムレスト８に近接する第１側板６ｂの外縁が、スプール２の第１フランジ部１２の外縁（曲面１２ｄ）に近接するように切り欠いて形成されている。詳細には、切り欠き部９は、第１側板６ｂの内周側に窪むように形成され、スプール２の第１フランジ部１２の曲面１２ｄに近接するにしたがって、外径が小さくなるように傾斜する湾曲面９ａで構成されている。そして、サムレスト８の第１側板６ｂ側の円弧面８ａは、この湾曲面９ａに滑らかに連続して形成されている。
【００４１】
切り欠き部９をこのような構成にすることで、サミング操作をするときのスプール２の第１フランジ部１２へのアクセス性が向上する。また、第１フランジ部１２の曲面１２ｄが切り欠き部９に近接する位置にあるため、これにより、迅速かつスムーズにサミング操作を行うことができる。さらには、切り欠き部９に親指を載置することが可能になるため、この場合は、切り欠き部９から親指をスプール２側に少し移動させるだけでサミング操作を行うことができる。
【００４２】
次に、図１に従って、指案内面７ｃの構成について説明する。指案内面７ｃは、第２本体部７の第２側板７ｂの第２フランジ部１３に近接する外縁に形成されている。詳細には、第１側板６ｂと第２側板７ｂとの間の上方の開口の幅Ｗ１よりも、第１側板６ｂと第２側板７ｂとの間の下方前方の開口の幅Ｗ２が第２側板７ｂ側に広く設けられており、この広く設けられた開口に近接する第２側板７ｂの外縁に指案内面７ｃが設けられている。ここでは、指案内面７ｃは、第２側板７ｂの前方側かつスプール２の回転中心Ｏよりも下側の第２側板７ｂの外縁が、スプール２の第２フランジ部１３の外縁（円筒面１３ｃ）に近接するように切り欠いて形成されている。すなわち、指案内面７ｃは、スプール２の第２フランジ部１３の円筒面１３ｃに近接するにしたがって、外径が小さくなるように形成されている。
【００４３】
この指案内面７ｃを設けることで、リール本体１をパーミングする手の人差し指や中指をスプール２の第２フランジ部１３の外周面１３ｂから円筒面１３ｃに接触させてブレーキをかけることができる。さらに、ここでは指案内面７ｃと切り欠き部９とがスプール軸１０を挟んで対向する位置に来るため、これらを併用して、サミング操作を行うことができる。これにより、より強く安定した制動力をスプール２に与えることができる。
【００４４】
ハンドル３は、リール本体１の第１本体部６の外側面に回転可能に取り付けられている。ハンドル３は、図４に示すように、第１本体部６から突出した駆動軸１５に取り付けられている。ハンドル３の回転は、回転伝達機構４を介してスプール２に伝達される。
【００４５】
回転伝達機構４は、ハンドル３の回転をスプール２に伝達する機構である。回転伝達機構４は、駆動軸１５と、駆動ギア１６と、ピニオンギア１７と、を有する。
【００４６】
駆動軸１５は、ハンドル３と連結されており、ハンドル３と一体的に回転する。なお、駆動軸１５は、ワンウェイクラッチ１８によって、釣糸繰り出し方向への回転が禁止されている。
【００４７】
駆動ギア１６は、駆動軸１５に装着され、駆動軸１５と一体的に回転する。ピニオンギア１７は、駆動ギア１６にかみ合う。ピニオンギア１７は、後述するクラッチ機構２０を介してスプール軸１０と連結されている。
【００４８】
クラッチレバー５は、図２及び図３に示すように、リール本体１の第１本体部６の外側面に設けられている。クラッチレバー５の先端は、スプール２側に延出しており、第１本体部６の外周に近接した位置に設けられている。クラッチレバー５は、実線で示す第１位置（クラッチオン状態）と２点鎖線で示す第２位置（クラッチオフ状態）との間で、周方向に第１本体部６に沿って揺動可能になっている。
【００４９】
クラッチ機構２０は、クラッチレバー５が操作されることよって、クラッチオン状態とクラッチオフ状態との切り替えが行われる。詳細には、クラッチ機構２０がオン状態のとき（クラッチレバー５が第１位置のとき）、ピニオンギア１７とスプール軸１０とは一体的に回転する。一方、クラッチ機構２０がオフ状態のとき（クラッチレバーが第２位置のとき）は、ピニオンギア１７とスプール軸１０とは相対回転可能となる。ピニオンギア１７が軸方向に移動することによって、クラッチ機構２０のオン状態とオフ状態とが切り替えられる。
【００５０】
ここでは、クラッチレバー５が揺動可能な第１位置及び第２位置の範囲にわたって切り欠き部９が形成されている。このため、クラッチ操作からサミング操作、又はサミング操作からクラッチ操作をするときに、切り欠き部９を経由することで、親指をスムーズに動かすことができる動線が確保される。また、切り欠き部９は指置き場として用いることができるため、切り欠き部９に載置された親指で、サミング操作またはクラッチ操作を迅速に行うことも可能になる。
【００５１】
特に、リール本体１を把持した手の親指でクラッチレバー５を第１位置（クラッチオン状態）から第２位置（クラッチオフ状態）に移動させた後、親指をそのまま横（スプール側）にずらすだけで親指が切り欠き部９に案内される。そして、切り欠き部９を経由して、スプール２の曲面１２ｄに容易に到達することができる。これにより、クラッチ操作からサミング操作までの一連の動作を、迅速かつスムーズに行うことができる。
【００５２】
＜他の実施形態＞
以上、本発明の実施形態について説明したが、本発明はこれらに限定されるものではなく、本発明の趣旨を逸脱しない限りにおいて種々の変更が可能である。
【００５３】
（ａ）前記実施形態では、切り欠き部９を第１本体部６のみに設けていたが、切り欠き部９を第２本体部７のみや、第１及び第２本体部６，７の両方に設けてもよい。また、指案内面７ｃについても、第１本体部６のみや、第１及び第２本体部６，７の両方に設けてもよい。さらには、切り欠き部９および指案内面７ｃを同時に設けなくてもよい。すなわち、切り欠き部９および指案内面７ｃのいずれか一方のみをリール本体１に設けてもよい。
【００５４】
（ｂ）前記実施形態では、認識部の一例として第１フランジ部１２の外周面１２ｂに溝１２ｅが形成されていたが、溝１２ｅは、外周面１２ｂから径方向外方に突出した突起や、ショット処理などの加工によって形成された微小な凹凸でもよい。また、曲面１２ｄのみ、もしくは曲面１２ｄと外周面１２ｂとに、溝１２ｅ、突起、又は微小な凹凸を設けてもよい。
【００５５】
（ｃ）前記実施形態では、リール本体１の第１本体部６側に第１フランジ部１２を、リール本体１の第２本体部７側に第２フランジ部１３を配置していたが、第１及び第２フランジ部１２，１３の配置を逆にしてもよい。すなわち、第２フランジ部１３側に曲面を設けてもよい。このとき、さらに切り欠き部９を第２本体側に形成してもよい。この場合は、より強くサミングをかけたいときに有効である。
【００５６】
（ｄ）前記実施形態では、第１フランジ部１２の内壁面１２ａは、糸巻胴部１１の先端から徐々に外径が大きくなるように軸方向外側に傾斜した傾斜面で形成されていたが、糸巻胴部１１の先端から径方向外方に垂直に延びた垂直面で形成されていてもよい。同様に、第２フランジ部１３の内壁面１３ａも、糸巻胴部１１の先端から径方向外方に垂直に延びた垂直面で形成されていてもよい。また、内壁面１２ａ，１３ａは、傾斜面と垂直面とを組み合わせて形成されていてもよい。
【００５７】
（ｅ）前記実施形態では、第１及び第２フランジ部１２，１３の外周面１２ｂ，１３ｂは、内壁面１２ａ，１３ａの最外径部１２ａ´，１３ａ´から軸方向外方に延びるにしたがって徐々に外径が大きくなるように傾斜して形成されていたが、内壁面１２ａ，１３ａの最外径部１２ａ´，１３ａ´から軸方向外方にスプール軸と平行に延びる平坦面で形成されていてもよい。
【符号の説明】
【００５８】
１    リール本体
２    スプール
３    ハンドル
５    クラッチレバー
６    第１本体部
７    第２本体部
７ｃ  指案内面
８ａ  円弧面
９    切り欠き部
９ａ    湾曲面
１１    糸巻胴部
１２    第１フランジ部
１２ａ  内壁面
１２ｂ  外周面
１２ｃ  円筒面
１２ｄ  曲面
１２ｅ  溝（認識部の一例）
１３    第２フランジ部
１３ａ  内壁面
１３ｂ  外周面
１３ｃ  円筒面
１００  両軸受リール
【図１】
2018064504.tif 000003
【図２】
2018064504.tif 000004
【図３】
2018064504.tif 000005
【図４】
2018064504.tif 000006
【図５】
2018064504.tif 000007